(57)【要約】      （修正有）【課題】ゆかたの帯に収容部を形成することによって、洋服のポケットに相当する機能を付与し、ゆかた、じゅばん等を着た際には、腰に回した帯の部分に、財布等として使用可能な収容部を確保する。【解決手段】着物帯２の表面と裏面の間に挟まれた状態で袋状の収容部３を形成し、その収容部の上縁に開口部を形成し、その開口部をファスナーによって開閉可能とした。または、着物帯２の裏面の一端に収容ケースを付設し、着物帯の帯厚を収容ケースの厚さに合わせた。【選択図】図１
0003106159.tif 000002
【実用新案登録請求の範囲】
【請求項１】
着物帯の一端に、袋状の収容部を形成したことを特徴とする収容部付き帯。
【請求項２】
着物帯の表面と裏面の間に挟まれた状態で袋状の収容部を形成し、その収容部の上縁に開口部を形成し、その開口部をファスナーによって開閉可能とした請求項１記載の収容部付き帯。
【請求項３】
着物帯の裏面の一端に収容ケースを付設したことを特徴とする収容部付き帯。
【請求項４】
着物帯の帯厚を収容ケースの厚さに合わせたことを特徴とする請求項３記載の収容部付き帯。
【請求項５】
着物帯の長さを、腰を１周する程度の長さとし、帯の両端に止着部を形成し、その止着部同士によって帯の両端を容易に止着可能とし、そして、腰の背後に位置する部位に飾り結びを形成したことを特徴とする請求項４記載の収容部付き帯。
【請求項６】
前記止着部として面ファスナーを使用することを特徴とする請求項５記載の収容部付き帯。
【考案の詳細な説明】
【技術分野】
【０００１】
本考案は、ゆかた、じゅばん等の着物帯に関する。
【背景技術】
【０００２】
一般に、ゆかたは、特に夏に風呂からあがった後に着用されることが多く、綿のゆかた地は清涼感もあり夏の着物として、広く使用されている。
また、旅館、ホテル等においては、宿泊客のために、ゆかたを備え、風呂に入った後は、ゆかたに着替えて部屋でくつろぐことができる。
また、ゆかたは帯を解けば、その左右の前面部を縦方向の全体に亘り左右に開放して、脱衣や着衣を容易に行うことができる。そのため、体の自由の効かない寝たきり老人用浴衣として使用され、または、患者等の介護用寝巻きとして使用されている。
そして、このようなゆかたに関する技術として実用新案登録第２５３６７９６号公報記載の技術が知られている。
【特許文献１】実用新案登録第２５３６７９６号公報
【考案の開示】
【考案が解決しようとする課題】
【０００３】
しかしながら、ゆかたは洋服と異なり、財布、小物入れ等の収容部がない。そのため、旅館、ホテル等に宿泊した際には、財布、部屋のキー等は手で持ち歩かなければならないという問題があった。
また、ゆかたは一枚の薄い布地で作られているため、本体にポケット等を付設することも困難である。
本発明はかかる従来の問題点を解決するためになされたものであって、その目的とするところは、ゆかたの帯に収容部を形成することによって、洋服のポケットに相当する機能を確保した収容部付き帯を提供することにある。
【課題を解決するための手段】
【０００４】
前記目的を達成するための手段として、請求項１記載の収容部付き帯では、着物帯の一端に、袋状の収容部を形成した。
請求項２記載の収容部付き帯では、請求項１記載の収容部付き帯において、着物帯の表面と裏面の間に挟まれた状態で袋状の収容部を形成し、その収容部の上縁に開口部を形成し、その開口部をファスナーによって開閉可能とした。
請求項３記載の収容部付き帯では、着物帯の裏面の一端に収容ケースを付設した。
請求項４記載の収容部付き帯では、請求項３記載の収容部付き帯において、着物帯の帯厚を収容ケースの厚さに合わせている。
請求項５記載の収容部付き帯では、請求項４記載の収容部付き帯において、着物帯の長さを、腰を１周する程度の長さとし、帯の両端に止着部を形成し、その止着部同士によって帯の両端を容易に止着可能とし、そして、腰の背後に位置する部位に飾り結びを形成している。
請求項６記載の収容部付き帯では、請求項５記載の収容部付き帯において、前記止着部として面ファスナーを使用する。
【考案の効果】
【０００５】
本考案は上述のとおり構成されているので、次に記載する効果を奏する。
着物帯に収容部を形成しているので、ゆかた、じゅばん等を着た際には、腰に回した帯の部分に、財布等として使用可能な収容部が自然に確保される。
そのため、旅館、ホテル等において、ゆかたの着用時には、収容部に紙幣、硬貨、キー等を収容することができ、手に持ち歩く必要がない。
また、帯の裏側に収容ケースを付設しているので、比較的大きなものでも収容することができる。
そして、収容ケースと帯幅を同一としているので、帯を装着した際にも、収容ケースが身体側に突起せずに、収容ケースの違和感を感じない。
さらに、着物帯の長さを、腰を１周する程度の長さとし、帯の両端に止着部を形成しているので、その止着部同士によって帯の両端を容易に止着することができる。帯が厚い場合であっても、容易に帯を装着でき、飾り結びが配置されているので、通常の帯と同様の自然な装着感が得られる。
【考案を実施するための最良の形態】
【０００６】
以下、本考案を実施するための最良の形態を説明する。
一般に、ゆかた１は身体の後方から前方へ布地を掛け渡し、左右の袖に腕を通して、前方で左前見頃と右前見頃を重ね合わせて、重ね合わせたゆかたの上から腰のあたりに帯を回して締め、帯の結び目を背後に形成して着用する。
そして、これらのゆかた１は、ホテル、旅館等に宿泊した際に部屋着として着用されるが、財布等として使用可能なポケットを備えていない。そこで、本発明は帯に収容部を配置することによってこれらの問題を解決したものである。
【実施例１】
【０００７】
第１実施例に係る帯２は、図１に示すように、布、合成繊維の長尺織布からなる本体と、その一端に形成された収容部３によって構成されている。
前記帯本体は、長尺織布の中心を長さ方向に折り合わせて形成した連続体であり、帯幅：数ｃｍ程度、そして長さは、腰を２周ほど回した後に、背後で結び目が形成できる程度の長さを有している。
【０００８】
前記収容部３は、長尺帯の途上の一端を十数ｃｍ間隔で縫製して仕切ったものである。そのため収容部３は、縫着部４によって左右辺が形成され、そして、帯の下縁が底の袋状となっている。
この袋状部は帯の表面と裏面の間に挟まれて、下縁は閉塞され、紙幣、硬貨、カギ、その他小物を収容できるスペースとなっている。
収容部３の位置は帯を装着した際に、目視できるように、身体の前方に位置する部分に形成する。
【０００９】
前記縫着部４の間の上縁は開口し、この収容部３の開口には図２（イ）に示すように、ファスナー５が配置されて開閉自在に構成されている。あるいは、図２（ロ）に示すように、面ファスナー６が配置されて開閉自在となっている。
この面ファスナー６（ベルベット式ファスナー）は、表面に多数の鉤状の突起を備えた止着面と、表面に多数のループ状の起毛部を備えた被止着面から構成され、鉤状部材の止着面をループ状部材の被止着面に押し当て、鉤状の突起を起毛部に係合させ、これによって、鉤状部材とループ状部材を接合するものである。
【００１０】
ゆかた１を着用した際には、図３に示すように、腰の帯の前側に収容部３が位置するように帯を装着する。
すると、収容部３に紙幣、硬貨、カギ等を収容でき、ホテル、旅館等に滞在した場合には、財布等を手で持ち歩かずに済む。入院患者等が寝巻きとしてゆかたを使用する場合においても、身の回りの貴重品を収容することができる。
【実施例２】
【００１１】
次に、第２実施例に係る帯は、図４に示すように、帯２の裏に小物入れ用の収容ケース７を付設したものである。
収容ケース７は合成樹脂、皮革等によって構成され、所定の堅さと可撓性を有している。
この収容ケース７は六面体であり、帯２の裏面に縫製、あるいは接着等によって取り付けられている。収容ケース７の上面は蓋８が配置され、その蓋８は収容ケース７の上面を閉塞して、その先端が内側に折れ曲がって、その折れ曲がった部分にホック８ａが配置されている。
収容ケース７の厚さは１〜３ｃｍであり、上下幅は帯と略同一であり、左右幅は十数ｃｍとなっている。
尚、この収容ケース７は帯に着脱自在とすることも可能であり、帯の洗濯時には収容ケースを外す構成としても良い。
使用方法については前記第１実施例と同様となる。
【実施例３】
【００１２】
次に、第３実施例の帯は、図５、６に示すように、帯２の裏に小物入れ用の収容ケース７を付設し、その収容ケース７と同厚となるように、内側にさらに帯（内帯９）を配置したものである。そして、帯２の長さは腰回りを１周程度、あるいは１周よりやや長く形成し、その帯２の背後に面ファスナーによる止着部１０を配置し、その止着部１０の部分に飾り結び１１を形成したものである。
【００１３】
前記内帯９を配置することによって、帯に厚さが付与され、収容ケース７の厚さと帯が同一となる。
帯２の内側に収容ケース７を付設すると、その収容ケース７が内側に突起し、帯の装着時には収容ケースが身体側に突起して違和感を生じる。しかし、本実施例では、内帯９を配置していることにより、帯が厚くなり、収容ケース７の突起分が帯の厚さに吸収され、帯の装着時に収容ケース７の突起の違和感が生じない。
前記内帯９は収容ケース７の両端に接続されて、収容ケース７の厚を確保して、帯２と平行して左右に延びている。帯を腰に締めた場合には、内帯９が腰に当接し、内帯９の外側に収容ケース７が配置され、さらにその外側に帯２が通過する構成となる。
帯２と内帯９は幅がずれないように接合され、内帯９は腰の半周程度の長さを有し、内帯９の左右の先端は帯２と合流して一本化されている。
尚、内帯９は帯２と同一の長さとして、腰を周回する構成としても良い。また、帯２を一重として収容ケース７の厚さと同一に帯２を厚く形成する場合であっても同一の作用となる。
【００１４】
本実施例の帯を装着する場合には、帯を腰に回した後に、帯の締め付け具合を調整して、背後の面ファスナー（止着部１０）を止着する。
この面ファスナーは、表面に多数の鉤状の突起を備えた止着面と、表面に多数のループ状の起毛部を備えた被止着面から構成され、帯のそれぞれの端に止着面と、被止着面を配置しておき、それらを押し当てることによって、帯を締めるようになっている。
ここで、帯の背後には飾り結び１１が配置されているので、面ファスナー同士を止着して帯を締める場合であっても、通常の帯と同様の締め付け外観が得られる。
本実施例では、帯２に収容ケース７を配置し、帯を厚く形成した分、帯の取り扱い性が悪化するが、この止着部１０があることによって、容易に帯を装着することができる。
【００１５】
以上、本考案の実施例を説明してきたが、本考案の具体的な構成は本実施例に限定されるものではなく、考案の要旨を逸脱しない範囲の設計変更等があっても本考案に含まれる。
【図面の簡単な説明】
【００１６】
【図１】第１実施例の帯を示す図である。
【図２】収容部の形状を示す図である。
【図３】帯の装着状態を示す図である。
【図４】第２実施例の収容ケースを示す図である。
【図５】第３実施例の収容ケースを示す図である。
【図６】第３実施例の帯を示す図である。
【符号の説明】
【００１７】
１  ゆかた
２  帯
３  収容部
４  縫着部
５  ファスナー
６  面ファスナー
７  収容ケース
８  蓋
８ａ  ホック
９  内帯
１０  止着部
１１  飾り結び
【図１】
0003106159.tif 000003
【図２】
0003106159.tif 000004
【図３】
0003106159.tif 000005
【図４】
0003106159.tif 000006
【図５】
0003106159.tif 000007
【図６】
0003106159.tif 000008